(57)【要約】【課題】電子割符の有する特徴を生かして電子情報漏洩対策を可能にするに際して、利用者に手数、負担がかかることなく電子情報漏洩対策を行うことをできるようにする割符ソフトウエア提供システムを提供する【解決手段】環境設定画面を備え、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含む。割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させる、電子割符ソフトウエアを備える。【選択図】図８
2018190211.tif 000002
【特許請求の範囲】
【請求項１】
電子情報ファイルを複数の電子割符データに分割して、割符保存場所に保存し、分割され保存さえた電子割符データを元の電子情報ファイルに復元する電子情報漏洩対策装置において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させる、端末装置で実行させるためのコンピュータプログラムを記録したコンピュータ読み取り可能な電子割符ソフトウエアを備えたこと
を特緒とする電子情報漏洩対策装置。
【請求項２】
電子情報ファイルを複数の電子割符データに分割して、割符保存場所に保存し、分割され保存さえた電子割符データを元の電子情報ファイルに復元する電子情報漏洩対策装置を支援する電子情報漏洩対策支援装置において、
電子情報漏洩対策装置に、電子情報漏洩対策装置にインストールされ、電子情報漏洩対策装置で実行させるためのコンピュータプログラムを記録したコンピュータ読み取り可能な電子割符ソフトウエアを提供し、
環境設定画面を設定させ、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させること
を特緒とする電子情報漏洩対策支援装置。
【請求項３】
電子情報ファイルを複数の電子割符データに分割して、割符保存場所に保存し、分割され保存さえた電子割符データを元の電子情報ファイルに復元する電子情報漏洩対策装置で用いられる電子割符ソフトウエア有する電子記録媒体であって、
電子情報漏洩対策装置に、
環境設定画面を設定させ、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させる、電子情報漏洩対策装置にインストールされ、電子情報漏洩対策装置で実行させるためのコンピュータプログラムを記録したコンピュータ読み取り可能な電子割符ソフトウエアを有すること
を特緒とする電子記録媒体。
【請求項４】
電子情報ファイルを複数の電子割符データに分割して、割符保存場所に保存し、分割され保存さえた電子割符データを元の電子情報ファイルに復元する電子情報漏洩対策装置における電子情報漏洩対策方法において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させる、端末装置で実行させるためのコンピュータプログラムを記録したコンピュータ読み取り可能な電子割符ソフトウエアを備え、
前記画面表示手段の表示画面に表示された前記環境設定画面に、割符割数、復元に必要な割符ファイルの数の形態、割符様式欄に割符ファイルのサイズ形態及び割符保存場所を入力することで、電子情報ファイルを複数の電子割符データに形成させること
を特徴とする電子情報漏洩対策装置における電子情報漏洩対策方法。
【請求項５】
電子情報ファイルを複数の電子割符データに分割して、割符保存場所に保存し、分割され保存さえた電子割符データを元の電子情報ファイルに復元する電子情報漏洩対策装置において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄を含み、保存場所設定欄が割符保存場所入力欄を含み、
そして割符割数入力欄に２〜１０までの割数を、割符形式欄に割符形式欄に割符数の２のときに割符データ２で復元可能な形態及び割符数の数が３個以上１０までのとき、割符数をＮ数としたときに割符データＮ−１、あるいはＮ−２で復元可能な形態
を、そして割符保存場所入力欄に任意の割符保存場所を入力させて、電子情報ファイルを複数の電子割符データに形成させる、端末装置で実行させるためのコンピュータプログラムを記録したコンピュータ読み取り可能な電子割符ソフトウエアを備えたこと
を特緒とする電子情報漏洩対策装置。
【請求項６】
電子情報ファイルを複数の電子割符データに分割して、割符保存場所に保存し、分割され保存さえた電子割符データを元の電子情報ファイルに復元する電子情報漏洩対策装置がラインで結ばれた電子情報漏洩対策装置が適用されたシステムにおいて、
当該ラインに複数のネットワークサーバーが接続され、少なくとも一つのネットワークサーバーが送り手側の端末装置と受取り手側の端末装置に共用のもので、２つ以上のネットワークサーバーが受取り手側の端末装置に専用のもので、
各電子情報漏洩対策装置が環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄を含み、保存場所設定欄が割符保存場所入力欄を含み、
そして割符割数入力欄に３〜１０までの割数を、割符形式欄に割符形式欄に割符数の数が３個以上１０までのとき、割符数をＮ数としたときに割符データＮ−１、あるいはＮ−２で復元可能な形態を、そして割符保存場所入力欄に任意の割符保存場所を入力させて、割符数の数が３個以上１０までのとき、割符数をＮ数としたときに割符データＮ−１、あるいはＮ−２で復元可能な形態を、そして割符保存場所入力欄に任意の割符保存場所を入力させて、電子情報ファイルを複数の電子割符データに形成させる、端末装置で実行させるためのコンピュータプログラムを記録したコンピュータ読み取り可能な電子割符ソフトウエアを備え、
送り手側の端末装置で生成され、保存された電子割符データが受取り側の端末装置で復元可能とされたこと
を特徴とする電子情報漏洩対策システム。
【発明の詳細な説明】
【技術分野】
【０００１】
本発明は、電子情報漏洩対策システム、電子情報漏洩対策装置及び電子情報漏洩対策システム、電子情報漏洩対策装置による電子情報漏洩対策方法に関する。
【背景技術】
【０００２】
機密情報の持ち出しには、そのファイルを分割して、それぞれ暗号化し、あるいは電子割符にして別の経路で移送することが求められる。
【０００３】
暗号化は、実用的に時間内での解読ができないという計算量で安全性が担保される。これに対して、電子割符は、原本データをビット単位でバラバラにして、さらにそのデータに意味のないデータを混ぜて、それを分割してデータの断片としての保管するため、現状においては、時間的に解読が不可能である。暗号化が計算量での安全性担保に対して、電子割符は、情報量的に安全性を担保している。
【０００４】
特許文献１には、割符データを含んだ複数の分割データを電子割符プログラム又はソフトウエアを用いて分割し、分割データを送信し、分割データを読み出して復元するデータ保管システムが記載されている。
【０００５】
ネットワークを介してソフトウエアを提供するサーバ装置と、サーバ装置からネットワークを介して提供されるソフトウエアを入手するクライアント装置とを備え、提供しようとするソフトウエアをクライアント装置側で要求する数、またはサイズに分割する分割手段と、分割手段によって分割されたソフトウエアの各々をクライアント装置へ送信する送信手段とを備えるプロバイダを有するソフトウエア提供システムが知られている。
特許文献２には、上述したようなソフトウエア提供システムが記載されている。
【先行技術文献】
【特許文献】
【０００６】
【特許文献１】特許第５９６１０１７号公報
【特許文献２】特開２００１−３５０６８４号公報
【発明の概要】
【発明が解決しようとする課題】
【０００７】
電子割符は、特許文献１に示されるように、安全性を確保できるという特徴を有しているが、利用者が割符技術を取得することは簡単ではない。特許文献２には、ソフトウエア提供システムが記載されているが、割符ソフトウエア提供システムの提供方法までは記述していない。
【０００８】
本発明は、かかる点に鑑み電子割符の有する原本データをビット単位でバラバラにし、それを分割することにより、情報的な安全性を確保するというかかる特徴を生かして電子情報漏洩対策を可能にするに際して、利用者に手数、負担がかかることなく電子情報漏洩対策を行うことをできるようにする割符ソフトウエア提供システムを提供することを目的とする。
【課題を解決するための手段】
【０００９】
本発明は、電子情報ファイルを複数の電子割符データに分割して、割符保存場所に保存し、分割され保存さえた電子割符データを元の電子情報ファイルに復元する電子情報漏洩対策装置において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させる、端末装置で実行させるためのコンピュータプログラムを記録したコンピュータ読み取り可能な電子割符ソフトウエアを備えたこと
を特緒とする電子情報漏洩対策装置を提供する。
【００１０】
本発明は、電子情報ファイルを複数の電子割符データに分割して、割符保存場所に保存し、分割され保存さえた電子割符データを元の電子情報ファイルに復元する電子情報漏洩対策装置を支援する電子情報漏洩対策支援装置において、
電子情報漏洩対策装置に、
環境設定画面を設定させ、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させる、電子情報漏洩対策装置にインストールされ、電子情報漏洩対策装置で実行させるためのコンピュータプログラムを記録したコンピュータ読み取り可能な電子割符ソフトウエアを有すること
を特緒とする電子情報漏洩対策支援装置を提供する。
【００１１】
本発明は、電子情報ファイルを複数の電子割符データに分割して、割符保存場所に保存し、分割され保存さえた電子割符データを元の電子情報ファイルに復元する電子情報漏洩対策装置で用いられる電子割符ソフトウエア有する電子媒体であって、
電子情報漏洩対策装置に、
環境設定画面を設定させ、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させる、電子情報漏洩対策装置にインストールされ、電子情報漏洩対策装置で実行させるためのコンピュータプログラムを記録したコンピュータ読み取り可能な電子割符ソフトウエアを有すること
を特緒とする電子媒体を提供する。
【００１２】
本発明は、電子情報ファイルを複数の電子割符データに分割して、割符保存場所に保存し、分割され保存さえた電子割符データを元の電子情報ファイルに復元する電子情報漏洩対策装置における電子情報漏洩対策方法において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させる、端末装置で実行させるためのコンピュータプログラムを記録したコンピュータ読み取り可能な電子割符ソフトウエアを備え、
前記画面表示手段の表示画面に表示された前記環境設定画面に、割符割数、復元に必要な割符ファイルの数の形態、割符様式欄に割符ファイルのサイズ形態及び割符保存場所を入力することで、電子情報ファイルを複数の電子割符データに形成させること
を特徴とする電子情報漏洩対策装置における電子情報漏洩対策方法を提供する。
【００１３】
本発明は、電子情報ファイルを複数の電子割符データに分割して、割符保存場所に保存し、分割され保存さえた電子割符データを元の電子情報ファイルに復元する電子情報漏洩対策装置において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄を含み、保存場所設定欄が割符保存場所入力欄を含み、
そして割符割数入力欄に２〜１０までの割数を、割符形式欄に割符形式欄に割符数の２のときに割符データ２で復元可能な形態及び割符数の数が３個以上１０までのとき、割符数をＮ数としたときに割符データＮ−１、あるいはＮ−２で復元可能な形態
を、そして割符保存場所入力欄に任意の割符保存場所を入力させて、電子情報ファイルを複数の電子割符データに形成させる、端末装置で実行させるためのコンピュータプログラムを記録したコンピュータ読み取り可能な電子割符ソフトウエアを備えたこと
を特緒とする電子情報漏洩対策装置を提供する。
【００１４】
本発明は、電子情報ファイルを複数の電子割符データに分割して、割符保存場所に保存し、分割され保存さえた電子割符データを元の電子情報ファイルに復元する電子情報漏洩対策装置がラインで結ばれた電子情報漏洩対策装置を適用したシステムにおいて、
当該ラインに複数のネットワークサーバーが接続され、少なくとも一つのネットワークサーバーが送り手側の端末装置と受取り手側の端末装置に共用のもので、２つ以上のネットワークサーバーが受取り手側の端末装置に専用のもので、
各電子情報漏洩対策装置が環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄を含み、保存場所設定欄が割符保存場所入力欄を含み、
そして割符割数入力欄に３〜１０までの割数を、割符形式欄に割符形式欄に割符数の数が３個以上１０までのとき、割符数をＮ数としたときに割符データＮ−１、あるいはＮ−２で復元可能な形態を、そして割符保存場所入力欄に任意の割符保存場所を入力させて、割符数の数が３個以上１０までのとき、割符数をＮ数としたときに割符データＮ−１、あるいはＮ−２で復元可能な形態を、そして割符保存場所入力欄に任意の割符保存場所を入力させて、電子情報ファイルを複数の電子割符データに形成させる、端末装置で実行させるためのコンピュータプログラムを記録したコンピュータ読み取り可能な電子割符ソフトウエアを備え、
送り手側の端末装置で生成され、保存された電子割符データが受取り側の端末装置で復元可能とされたこと
を特徴とする電子情報漏洩対策装置を適用したシステムを提供する。
【発明の効果】
【００１５】
電子割符の有する原本データをビット単位でバラバラにし、それを分割することにより、情報的な安全性を確保するというかかる特徴を生かして電子情報漏洩対策を可能にするに際して、利用者に手数、負担がかかることなく電子情報漏洩対策を行うことをできるようにする割符ソフトウエア提供システムを提供することができる。
【図面の簡単な説明】
【００１６】
【図１】本発明の実施例である電子情報漏洩対策システム、電子情報漏洩対策装置及び電子情報漏洩対策装置の適用システムの概念を示す図
【図２】本発明が適用される他の電子情報漏洩対策システムの概略を示す図
【図３】電子情報漏洩対策装置の概念を示す図
【図４】電子情報漏洩対策装置の概念を示す図
【図５】電子情報漏洩対策装置の概念を示す図
【図６】エクスポート・インポートの仕組みを示す図
【図７】アクテイベーションを示す図
【図８】環境設定画面を示す図
【図９（１）】環境設定画面上で具体的な設定例を示す図
【図９（２）】割符断片保存場所の設定画面の具体例を示す図
【図９（３）】割符断片保存場所の設定画面の具体例を示す図
【図１０】割符断片保存場所の設定画面を示す図
【図１１】割符作業エリアと拡張子の設定画面を示す図
【図１２】設定情報（割符保存状況、原本管理）を確認する画面を示す図
【図１３】設定情報（割符保存状況、原本管理）を確認する画面を示す図
【図１４】電子情報漏洩対策装置の適用システムの概念を示す図
【図１５】電子情報漏洩対策装置の他の適用システムの概念を示す図
【発明を実施するための形態】
【００１７】
以下、本発明の実施例について図面に基づいて説明する。
【００１８】
図１は、本発明の実施例である電子情報漏洩対策装置１００、電子情報漏洩対策支援装置２００及び電子情報漏洩対策装置の適用システム３００の概念を示す図である。
【００１９】
電子情報ファイルを複数の電子割符データに分割して、割符保存場所に保存し、分割され保存さえた電子割符データを元の電子情報ファイルに復元する電子情報漏洩対策装置１００が設けられ、電子情報漏洩対策装置１００がライン５００で結ばれた電子情報漏洩対策装置を適用したシステム３００が構成される。電子情報漏洩対策装置１００と電子情報漏洩対策装置１００を支援する電子情報漏洩対策支援装置２００とを合わせて電子情報漏洩対策システムが構成され、インターネット等のネットで結ばれる。
【００２０】
ユーザー１がファイルを電子割符データに分割しそれぞれ、ＰＣ、ＵＳＢ、ネットワークサーバーに保存する。他の保存装置が用いられてもよい。ユーザーがこのファイルを相手先に送る場合、一旦各所に保存された電子割符データを集約し、一旦復元をし、エクスポートするために新たに、複数の電子割符データに分割する。エクスポートには、パスワードを設定することが求められる。このため、パスワードが設定される。
【００２１】
複数の電子割符データは、メール送信の場合、パスワードが付着されて相手先の端末装置へ送られる。メールを受け取った相手先は、ソフトを持っていなくてもダウンロードできるリーダーを導入し、メールに添付されていた電子割符データをインポートして、パスワードを入力し、ファイルを復元する。このようにすることで、ファイルを安全に移送できる。図で、割符断片ファイルは、分割された割符ファイルを示す。
【００２２】
図２は、図１に示される電子情報漏洩対策装置１００、電子情報漏洩対策支援装置２００及び電子情報漏洩対策装置の適用システム３００の変形例を示す図である。図１とほぼ同じであるが、メールの送り方に相違がある。図１に示される電子情報漏洩対策装置１００では、一人にメールを送信したが、図２に示される電子情報漏洩対策システムでは、メールＮ０１は担当１、メールＮ０２は担当２に送られる。インポート時に必要なパスワードは、責任者に送られ、ファイルの承認に、責任者の介在が必要とされる。
【００２３】
図１及び図２において、電子情報漏洩対策装置１００は、電子情報漏洩対策支援装置２００と電子情報漏洩対策装置の適用システム３００とに連携付けられる。
【００２４】
電子情報漏洩対策装置１００で、変換された割符データ活用になる電子情報漏洩対策を講じることにより、安全なファイル保存あるいは転送が可能とされ、電子情報漏洩対策装置の適用システム３００として構成されることで、電子情報漏洩対策に当たって、安全なソリューションが提供される。
【００２５】
以下、電子情報漏洩対策装置１００、電子情報漏洩対策支援装置２００及びシステム及び電子情報漏洩対策の適用システム３００についてそれぞれ説明する。
【００２６】
〇電子情報漏洩対策装置１００について
電子情報漏洩対策装置１００は、電子情報漏洩対策支援装置２００による支援に基づいて生成された割符データのエクスポート機能及び割符データのインポート機能を有することを特徴とする。電子情報漏洩対策支援装置２００は、電子情報漏洩対策装置１００を操作するユーザーが、割符データの生成方法を熟知しない場合に割符ファイル容易を生成することができ、復元された元の電子情報であるファイル（ＤＡＴＡ）について割符ファイルを生成することができるように支援する。
【００２７】
図３〜図５は、電子情報漏洩対策装置１００の概念を示す。電子情報漏洩対策装置１００は、電子情報配送システムに連携付けられる。電子情報配送システムは、送り手の端末装置と受取り手の端末装置を備える。
〇電子情報漏洩対策支援装置１００について
電子情報漏洩対策装置に、電子情報漏洩対策装置にインストールされ、電子情報漏洩対策装置で実行させるためのコンピュータプログラムを記録したコンピュータ読み取り可能な電子割符ソフトウエアを提供し、
環境設定画面を設定させ、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させる。
【００２８】
電子情報配送システムは、送り手の端末装置が電子情報を複数の電子割符データに分割して、それぞれ通信方法を備えた複数の電子割符データ送信手段によって受取り手の端末装置に送付し、前記受取り手の端末装置が分割して送付された電子割符データを取得し、統合して電子情報に復元するシステムとして構築される。
【００２９】
送り手の端末装置は、当該端末装置実行させるためのコンピュータプログラムを記録したコンピュータ読み取り可能で、電子記録媒体に電子割符ソフトウエアを備え、該電子記録媒体が送り手の端末装置にインストールされる。当該電子割符ソフトウエア及び電子割符ソフトウエアを備えた電子記録媒体は、電子情報漏洩対策支援装置２００で制作され提供される。
【００３０】
電子割符ソフトウエアは、電子割符データに、
・電子割符データのパスワード
・電子割符データの分割数
・電子割符データの保存場所
を設定させ、当該電子割符データを分割数に分割させ、分割された電子割符データを保存場所に吐き出せる。
【００３１】
当該電子割符ソフトウエアあるいは電子記録媒体を実装したエクスポート手段が送り手の端末装置に形成される。
【００３２】
当該エクスポート手段が、
・電子割符データのパスワード
・電子割符データの分割数
からなる電子割符データを送り手の端末装置から受取り手の端末装置に送信する。
【００３３】
受取り手の端末装置にも、送り手の端末装置と同様に、実行させるためのコンピュータプログラムを記録したコンピュータ読み取り可能で、電子記録媒体に電子割符ソフトウエアを備え、該電子記録媒体が送り手の端末装置にインストールされる。
【００３４】
電子割符ソフトウエアは、送り手の端末装置のインポート手段に、
・電子割符データのパスワード
・電子割符データの分割数
からなる電子割符データの取り込みが行わせ、元の電子情報であるファイル（ＤＡＴＡ）を復元させる。このようにインポート手段が送り手の端末装置に形成される。
【００３５】
当該インポート手段は、復元した元の電子情報であるファイル（ＤＡＴＡ）を、
・電子割符データのパスワード
・電子割符データの分割数
・電子割符データの保存場所
の設定された電子割符データに再度分割設定する。
【００３６】
図３は、本発明に実施例の構成する電子割符ソフトウエア体、すなわち電子記録媒体の実行内容を示す図である。
【００３７】
図３において、電子記録媒体１１、すなわち電子割符ソフトウエアは（電子記録媒体１１は、それ自体が、電子割符ソフトウエアを指す場合がある。）端末装置に、図３に示すエクスポート機能及びインポート機能を実装させる。エクスポート機能及びインポート機能は、電子割符ソフトウエアが実装されることで実現される。端末装置に、エクスポート機能あるいは/及びインポート機能が実装されてエクスポート手段あるいは/及びインポート手段が形成される。電子記録媒体１１は、電子割符ソフトウエア形態をなし、送り手の端末装置あるいは受取り手端末装置で実行させるためのコンピュータプログラムを記録したコンピュータ読み取り可能な電子記録媒体であり、端末装置のエクスポート手段あるいは/及びインポート手段にインストールされ、エクスポート機能、インポート機能を形成する。
【００３８】
電子記録媒体は、電子情報漏洩対策装置に、環境設定画面を設定させる。電子記録媒体は、割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させる、電子情報漏洩対策装置にインストールされ、電子情報漏洩対策装置で実行させるためのコンピュータプログラムを記録したコンピュータ読み取り可能な電子割符ソフトウエアを有する。
【００３９】
図４は、本発明の実施例の電子情報配送システム４００を示す図である。
【００４０】
電子情報配送システム４００は、送り手の端末装置１が電子情報を複数の電子割符データに分割してそれぞれ別の通信方法３により受取り手の端末装置２に送付し、受取り手の端末装置２が分割して送付された電子割符データを取得し、統合して電子情報に復元する電子情報配送システムである。
【００４１】
図４において、送り手側端末装置１が、電子記録媒体（電子割符ソフトウエア）１１をインストールした端末Aとして図示される。
【００４２】
端末Aに保管されたファイル形態の電子情報２１は、電子記録媒体（電子割符ソフトウエア）１１が実装されたエクスポート機能によって、
・分割数、移送経路、復元パスワードの指定
・ファイルを割符データに分割、本例の場合、割符データ  ア、イ、ウに３分割
・割符データをエクスポート（吐き出し）
通信方法３は、本例の場合、輸送経路３１、輸送経路３２、輸送経路３３からなる。
【００４３】
割符データ  アは、輸送経路３１で移送される。例えば、クラウド上へのアップロード/ダウンロード形態で移送される。
【００４４】
割符データ  イは、輸送経路３２で移送される。例えば、メールに添付して送信される。
【００４５】
割符データ  ウは、輸送経路３３で移送される。例えば、USBで持参されることで移送される。
【００４６】
電子情報配送システム４００は、ネット経由で割符データである割符ファイルにパスワードが貼付された単純形態で送付されるものであってもよい。
【００４７】
受取り手側端末装置２が、電子記録媒体（電子割符ソフトウエア）１１をインストールした端末Bとして図示される。
輸送経路３１、輸送経路３２、輸送経路３３からなる通信方法２で移送された割符データ  ア、イ、ウは、受取り手の端末装置２に取得され、電子情報に復元され、更に割情報データに分割される。
【００４８】
・割符データをインポート（取り込み）
・割符データからファイルを復元
この復元に、設定されたパスワードが使用される。
【００４９】
・受取り手側端末装置の割符設定にて復元されたファイルを分割
図５は、電子情報配送システム１００において、送り手の端末装置１がエクスポート手段１２を備え、受取り手の端末装置２がインポート手段１３を備えたときの送り手ユーザー側の作業及び受取り手ユーザー側の作業を説明する図である。
【００５０】
図５において、電子記録媒体（電子割符ソフトウエア）１１が生成され、生成された電子記録媒体（電子割符ソフトウエア）１１が送り手側端末装置１のエクスポート手段１２にインストールされ、受取手側端末装置２のインポート手段１３にインストールされる。
上述したように、電子記録媒体（電子割符ソフトウエア）１１が、送り手の装置端末に、
・メールに添付して送信
・USB等の外部メデイアに入れる
・ローカルドライブに自動保存
・FTP（ファイル・トランスファー・プロトコル）サイトにアップロード
を実行させ、安全に割符ファイルにして保存させる。
【００５１】
また、電子割符データの送信設定のために、エクスポート手段１２に
・電子割符データのパスワード
・電子割符データの分割数
実行させる。
【００５２】
電子記録媒体（電子割符ソフトウエア）１１がインストールにより実装されたインポート手段１３は、次の事項を実行する。
・電子割符データのパスワードの入力
・電子割符データの復元設定
・復元された元の電子情報であるファイルを再度割符化して割符ファイルとし
て保存
【００５３】
以上の構成によって、
送り手の端末装置１がエクスポート手段１２を備え、受取り手の端末装置２がインポート手段１３を備え、送り手の端末装置及び受取り手端末装置で実行させるためのコンピュータプログラムを記録したコンピュータ読み取り可能な電子記録媒体が前記エクスポート手段及び前記インポート手段にインストールされ、
エクスポート手段１２に、
・電子割符データのパスワード設定
・電子割符データの分割数の設定
・電子割符データの保存場所の設定
からなる電子割符データの分割設定を行わせ、電子割符データの吐き出しを行わせるエクスポート機能を形成させ、当該エクスポート機能に、
・電子割符データのパスワード設定
・電子割符データの分割数の設定
させ、外部の送信端末装置に送信させる。外部の送信端末装置は、インポート手段を備える。
【００５４】
電子記録媒体（電子割符ソフトウエア）１１は、インポート手段１３に、電子割符データ２１の取り込みを行わせ、
・電子割符データのパスワードの入力
・電子割符データ復元
させるインポート機能を形成させる。
【００５５】
図６は、エクスポート・インポートの仕組みを示す図である。
【００５６】
図７は、アクテイベーションを示す図である。
【００５７】
アクテイベーション操作は、エクスポート・インポートの仕組みの運用の際に、ユーザーにユーザーＩＤとパスワードを入力させる。
【００５８】
図７において、アクテイベーションは、パスワードの設定４１及びライセンス番号の登録４２からなる。割符ソフトウエア入手の意思が示されると、図７上図が画面表示され、ユーザーＩＤのパスワードの設定要求がなされる。図７下図の示されるアクテイベーション画面が表示され、ライセンスＮo、認証Ｎｏが入手され、アクテイベーションが成立すると、ログイン画面が表示され、規定通りであると図８が表示される。
【００５９】
図８は、環境設定画面４５を示す図である。
【００６０】
図６に示されるように、エクスポート・インポートの仕組みが構成され、当該エクスポート・インポートの仕組みを構成するために図８に示される環境設定画面４５が用いられる。プロバイダが、ネットワークを介して割符ソフトウエアを提供するサーバ装置、典型的にはプロバイダ端末を有し、図８に示される環境設定画面４５をユーザーであるクライアントに提供する。クライアントは、サーバ装置からネットワークを介して提供される割符ソフトウエアを入手する端末装置を備える。
【００６１】
サーバ装置が、提供しようとする割符ソフトウエアを端末装置側で要求する数で、要求する形式または様式で分割する分割手段と、分割手段によって分割された割符ソフトウエアの各々をユーザーの端末装置へ送信する送信手段と、を備える割符ソフトウエア提供システムを有して、電子情報漏洩対策支援装置２００が構成される。
【００６２】
ユーザーは、割符ソフトウエアを入手するに際して、アクテイベーションを行う。割符ソフトウエアを評価したい場合には、アクテイベーションを行うことなく、図８に示す環境設定場面を開いて、各項目を入力して、当該割符ソフトウエアを試用することができる。
【００６３】
図６において、エクスポート・インポートの仕組みを示す。
【００６４】
図６に示されるエクスポート・インポートの仕組みを説明する前に、エクスポート・インポートの仕組みを構成するに用いられる環境設定画面４５を図８に基づいて説明する。
【００６５】
図８に示される環境設定画面４５が用いられる。環境設定画面４５が用いられ、タブが選択されることで、割符ソフトウエア活用による割符データ設定がなされる。この設定に使用される各種の条件設定が、環境設定画面４５への入力でなされる。ここでは、下記の設定を行い得る。
【００６６】
環境設定画面４５は、割符基本設定欄（割符条件設定画面）を有する。割符基本設定欄を用いることで、基本的に必要とされる規定保存場所設定及び割符条件設定を行うことができる。
【００６７】
割符基本設定欄は、割符欄と保存場所欄と割符ログイン欄とを有する。
【００６８】
割符欄は、割数欄、割符形式欄、割符様式欄、パスワード使用欄を有する。
【００６９】
割数欄は、割数は、単一ファイルを割符ファイルに分割する数である。[２]を選択すると、２個の割符ファイルに分割される。試用の場合は、割数２に固定される。送付する割符データをいくつに分割するかを入力する欄である。割符データ個数設定は、２〜１０の範囲でなされる。
【００７０】
割符形式欄は、割符形式を設定する欄である。割符形式は、復元に必要な割符ファイルの数を示す形態である。通常用の割符形式とするか、リカバリー用の割形式とするかを入力する欄である。すべての割符を必要とする場合は、[通常用]ラジオボタンを選択する。割符ファイルが一つ欠けても復元できるようにする場合は、[リカバリー用（Ｎ−１）を選択する。割符ファイルが二つ欠けても復元できるようにする場合は、[リカバリー用（Ｎ−２）を選択する。[リカバリー（Ｎ−１）は、割数３以上を選択した場合のみ、選択できる。また、通常用の割符形式であると、３個の割符で復元可能であり、（Ｎ）として表す。[リカバリー用（Ｎ−２）]は、割数５以上を選択した場合のみ、選択できる。
【００７１】
図９は、割数２〜１０と割符形式Ｎ〜Ｎ−２との関係を示す図である。図９（１）（イ）が割数２の場合（図８に該当）、図９（１）（ロ）が割数３の場合、図９（１）（ハ）が割数４の場合、図９（１）（ニ）が割数５の場合、図９（２）（ホ）が割数６の場合、図９（２）（ヘ）が割数７の場合、図９（２）（ト）が割数８の場合、図９（２）（チ）が割数９の場合、そして図９（３）（リ）が割数１０の場合を示す。
【００７２】
図８に戻って、割符様式欄は、割符様式を設定する欄である。割符様式は、割符ファイルのサイズ形態を示す。割符ファイルをすべてほぼ同じサイズにしたい場合は、[均等割モード]を選択する。一つの割符ファイルを元のファイルの約１/１０００にし、その他の割符ファイルは均等割にしたい場合は、[最少ファイルモード]を選択する。
【００７３】
パスワード使用欄は、パスワードを設定する欄である。割符ファイルにパスワードを設定し、復元にそのパスワードの入力が必要な場合に、このチェックボックスを有効にする。
【００７４】
保存場所欄は、保管場所を入力する欄であり、
１  共有フォルダ
２  ＵＳＢ
３  ローカルＨＤＤ
が表示してある。３  ローカルＨＤＤを必ず含めるものとする。
【００７５】
[登録ＵＳＢのみ使用する]チェックボックスを有効にすると、[ＵＳＢリスト登録]タブが新たに追加される。また、[管理サーバを使用する]チェックボックスを有効にすると、[管理サーバ設定]タブが新たに追加される。利用者が独自に入力可能な保存場所が設定可能とされる。
【００７６】
割符ログイン欄は、ユーザー名、パスワード及びパスワード（確認）を入力する欄である。
【００７７】
この画面上で、安全性確保の為にタイムアウトが設定されている。例えば、３０分経過するとタイムアウトとされる。
【００７８】
すべての設定が完了したら、[設定保存]ボタンをクリックする。
【００７９】
図１０は、割符断片保存場所の設定画面を示す。環境設定画面で、割符断片保存場所の設定が可能とされる。
【００８０】
[規定保存場所設定]タブを選択する。割符ファイルの保存場所を設定し、編集することができる。
【００８１】
ここでは、下記の設定が行える。
【００８２】
割符ファイルの保存場所を新規作成する場合、[新規作成]ボタンをクリックし、[表示名]に表示する名前を入力し、[保存場所形式]を選択する。保存場所形式が、[ネットワークドライバ]、[ＦＴＰ]、または」[ＷｅｂＤＡＶ]のいずれかを選択した場合、保存場所形式ドロップダウンメニュウーの下に、追加情報を入力するフイールドが表示される。これらの項目を入力した後、[設定]ボタンをクリックする。
【００８３】
割符ファイルの既存の保存場所を編集する場合、左側のリストから目的の項目を右側に表示された情報を修正する。修正が完了したら、[設定]をクリックする。
【００８４】
図１１は、割符作業エリアと拡張子の設定画面を示す。環境設定画面で、割符作業エリアと拡張子の設定が可能とされる。
【００８５】
ここでは、下記の設定を行える。
・割符作業フォルダのパス：ファイルを入れると自動で分割する作業フォルダのパスが設定される。
・サブフォルダ割符許可：作業フォルダ配下のサブフォルダにファイルを入れた場合でも分割したいときは、[サブフォルダ割符許可]チェックボックスを有効にする。
・割許可拡張子：分割する対象のファイルタイプを設定できる。作業フォルダのサブフォルダにも適用するかどうかの設定が行える。
作業フオルダを複数指定するには、[新規作成]ボタンをクリックする。サブフォルダ割符許可の有無、割許可拡張子を設定することができる。
【００８６】
図１２、図１３は、設定情報（割符保存状況、原本管理）を確認する画面である。現在のマシン環境で、設定した通り割符が可能か、割符の設定が表示される。プロパテイ、ファイル名、結合可否、割数、復元に必要な割符ファイルの数を示す割符形式、割符様式、作成者、作成日、原本ファイル名、原本ファイル更新日、原本ファイルハッシュ、原本ファイルサイズ、割る時の保存場所が確認のため、画像表示することができる。条件不足エリアが赤字で表示される。
【００８７】
図１３において、
・割符可否：仮割符(赤字表示)  必要な割符データの保存場所が全て揃っていない場合、そのような保存先は赤字で示され、一時的に仮割符が行われる。
・割符可否：割符可能（青字表示）必要な保存場所が全て揃っている場合、割符可能となる。
【００８８】
図６に戻る。
図６において、エクスポート・インポートの仕組みを示す。
１）エクスポート画面の起動・設定
エクスポート画面３１の起動がなされて、エクスポート画面上に、割符基本設定である割符についての割数、割符形式、割符様式パスワードの設定及び保存場所の設定がなされる。
【００８９】
電子情報ファイルは、設定条件に基づいて割符データ化され、割符データ３２が生成される。割符データにパスワード添付される。この段階では、元の電子情報であるファイルの復元に、ＩＤを判別可能なのでパスポートは必須の条件ではない。割符データ設定がなされたとき、電子情報であるファイルは、消去され、盗用されることが防止され安全が確保される。
２）割符データの外部への通信の準備
エクスポート設定を行い、処理を開始すると、割符データ３２が、パスポートが用いられるなどして、一旦集約され、元の電子情報であるファイル（ＤＡＴＡ）３３が復元される。
３）割符データへの再度の分割設定
復元された元の電子情報であるファイル（ＤＡＴＡ）３３は、新たに設定されたエクスポート設定に基づき、再度分割される。割符データにパスワードが添付される。この段階では、元の電子情報であるファイルの復元にパスポートは必須の条件となる。割符データ設定がなされたとき、電子情報であるファイルは、消去され、安全が確保される。保存場所の設定は、必須の条件とされない。
４）エクスポートする割符データの生成
割符データの外部への通信のため、割符データにパスワードが添付された割符データ３４が生成される。
５）パスワードが貼付された割符データの送付
割符データ３４に、パスワード３５が貼付された状態の割符データが、通信手段３６を介して外部へ送信される。
６）インポート処理
受信した外部端末は、パスワード３５に基づいてインポート処理を行う。この処理で、エクスポートされた割符データが取得され、元の電子情報であるファイル（ＤＡＴＡ）３３に復元される。
７）復元されたＤＡＴＡの、インポート側の割符設定条件での再度分割と保存
元の電子情報であるファイル（ＤＡＴＡ）は、再分割され保存される。この再分割と保存の方法は、上述したエクスポート画面３１起動されて、エクスポート画面上に、割符基本設定である割符についての割数、割符形式、割符様式パスワードの設定及び保存場所の設定を行うと同じにして、インポート画面３１が起動されて、インポート画面上に、割符基本設定である割符についての割数、割符形式、割符様式パスワードの設定及び保存場所の設定がなされることでなされる。
【００９０】
電子情報ファイルは、設定条件に基づいて割符データ化され、割符データ３２が生成される。割符データにパスワード添付される。この段階では、元の電子情報であるファイルの復元に、ＩＤを判別可能なのでパスポートは必須の条件ではない。割符データ設定がなされたとき、電子情報であるファイルは、消去され、盗用されることが防止され安全が確保される。
【００９１】
割符ソフトウエアで、元の電子情報であるファイル（ＤＡＴＡ）を割符デートを持つ割符ファイルに分割する。分割後、元の電子情報であるファイル（ＤＡＴＡ）は、消去される。
【００９２】
作業フォルダに、分割したいファイルをコピーすると、自動でそのファイルが分割される。割符ファイルは、［割符基本設定］タブで設定した、各保存場所に保存される。
【００９３】
ファイルは、分割され、作業フォルダに表示される。
【００９４】
割符ソフトウエアでファイルを割符ファイルに分割した場合、異なるユーザー又はＰＣで作成した割符ファイルを他のユーザー又はＰＣで利用できるようにしたのがエクスポート・インポート機能である。
【００９５】
エクスポート方法      
i）エクスポートしたい割符ファイルを右クリックし、［割符エクスポート］をク
リックする。
ii）エクスポート時の復元パスワードを設定し、分割数を選択する。
iii）［エクスポートファイルリスト］ウインドウが開く。
iv）ウンンドウに表示されたエクスポートファイルをデスクトップ上、メールメッ
サージ上、ＵＳＢドライブ上、ＦＴＰウインドウ上等にドラッグアンドドロッ
プする。
v）[閉じる]ボタンをクリックする。
vi）メールやＵＳＢ等で、割符ファイルを受取先へ移送する。
【００９６】
インポート方法
エクスポートされたファイルを割符ソフトウエアに取り込むインポート機能について説明する。インポート後、ファイルは復元・再分割される。
i）インポートしたファイルを入れるフォルダで右クイックし、[割符インポート]
をクリックする。
【００９７】
ii）[インポート]ウインドウが開く。エクスポートされたファイルを[インポート
ファイル]ペインにドラッグアンドドロップするか、ウインドウに設けた[+]ボタン
をクリックし、ファイルを選択する。ペイン内のファイルを選択し、ウインドウに
設けた[-]ボタンをクリックすると、選択されたファイルを削除できる。
「クリア」ボタンをクリックすると、設定したインポートファイルとパスワードを
削除する。
インポートファイルが整うと[ＯＫ]ボタンが有効になる。
復元パスポートを入力し、[ＯＫ]ボタンをクリックする。
iii）ファイルがインポートされ、一旦復元された後、再度インポート元の割符設定
でファイルが分割される。
【００９８】
復元する場合、作業フォルダ内にある割符ファイルをダブルクリックして開く。関連付けられたアプリケーションでファイルが開かれる。ファイルの内容を編集後、上書き保存するとファイルは再度分割される。
【００９９】
電子情報漏洩対策装置において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄を含み、保存場所設定欄が割符保存場所入力欄を含み、
そして割符割数入力欄に２〜１０までの割数を、割符形式欄に割符形式欄に割符数の２のときに割符データ２で復元可能な形態及び割符数の数が３個以上１０までのとき、割符数をＮ数としたときに割符データＮ−１、あるいはＮ−２で復元可能な形態
を、そして割符保存場所入力欄に任意の割符保存場所を入力させて、電子情報ファイルを複数の電子割符データに形成させる、端末装置で実行させるためのコンピュータプログラムを記録したコンピュータ読み取り可能な電子割符ソフトウエアを備える。
【０１００】
図１、図２に戻って、電子情報漏洩対策装置の適用システム３００について説明する。電子情報漏洩対策装置が適用されて電子情報漏洩対策装置の適用システム３００として構成されることで、電子情報漏洩対策のためのソリューションが提供される。
【０１０１】
図１における電子情報漏洩対策装置の適用システム３００が図１４及び図１５に示される。
【０１０２】
図１４、図１５は、電子情報ファイルを複数の電子割符データに分割して、割符保存場所に保存し、分割され保存さえた電子割符データを元の電子情報ファイルに復元する電子情報漏洩対策装置がラインで結ばれた電子情報漏洩対策装置が適用されたシステム３００を示す。
【０１０３】
図１４、図１５において、個人端末５２と管理端末５３は、社内とか機構が同一とかの組織内で、管理関係にある。
【０１０４】
図１４、図１５において、個人ドメイン５０と管理者ドメイン５１がネット５００で接続され、ネットに接続可能なネットワークサーバー５６が設置される。
【０１０５】
個人端末ドメイン５０の個人端末５２が、管理端末ドメイン５１の管理者端末５３にネット５４、ネットワークサーバー５６を介して結ばれる。ネットワークサーバー５６が送り手側の端末装置と受取り手側の端末装置に共用のものとなる。
【０１０６】
分割割符の保存場所として、個人端末５１、ＵＳＢ５５、ネットワークサーバー５６及びバックアップサーバーＮ０１で示されるサーバー５７、バックアップサーバーＮ０２で示されるサーバー５８が保存場所として設定された。この状況下、分割１が個人端末５２に、分割２がＵＳＢ５５に、分割３がネットワークサーバー５６に、分割４がバックアップＮ０１（５７）に、そして、分割５がバックアップＮ０２（５８）に保存された。分割１及び分割２が個人ドメインに属し、分割４、分割５が管理者ドメインに属し、ネットワークサーバー５６に保存された分割３は、個人端末ドメイン５０及び管理者端末ドメイン５１のいずれにも所属する。
【０１０７】
割符割数の内の予め定められた数の分割割符が個人ドメイン及び管理端末ドメインに共通して保存されて、割符割数の内の、共通分割割符の数を含めて復元可能な数の分割割符が個人ドメインに保存され、割符割数の内の、共通分割割符の数を含めて復元可能な数の分割割符が管理端末ドメインに保存される。割符割数の内の復元可能な数の分割割符が個人ドメインに保存され、割符割数の内の復元可能な数の分割割符が管理端末ドメインに保存されるようにしてもよい。
【０１０８】
図１４は、管理端末ドメイン５１が社内システムに設定された場合でのソリューション事例を示す図である。
・個人端末５２の分割割符ファイルは、５分割（分割１から分割５）された。割符形式は、リカバリーモードＮ-２で運用される。
・個人端末使用時については、通常自分自身で保存する分割１、ＵＳＢ５５で保存する分割２、ネットワークサーバー５６で保存する分割３が使用される。
・個人端末での障害発生時、管理端末ドメインで保存される分割３、分割４、分割５によるバックアップが使用可能とされる。
・分割３、分割４、分割５のどれかの障害発生時、分割１〜分割５までのいずれかの分割割符ファイルの３つで復元がなされる。
・分割１〜分割５を行っても、ファイルの総容量にはほとんど変化がない。
・管理端末５３から個人作業状況把握が可能とされる。個人ドメイン５０内で、個人が割符を伴う行う作業をしている時に、管理端末５３で、作業状況を復元することで、であって、個人作業状況把握が可能とされ、ファイルを復元でき、ファイルの編集内容を確認でき、電子情報漏洩対策がなされる。
【０１０９】
図１５は、電子情報漏洩対策システムを形成する電子情報漏洩対策装置１００、電子情報漏洩対策支援装置２００及び電子情報漏洩対策装置の適用システム３００の概念の変形例を示す図であり、テレワークのソリューション事例を示す図である。  
個人５９は、社外に出張する時に、分割割符である分割１及び分割２を活用して、電子情報漏洩対策をしながら、仮想専用線ＶＰＮ接続によって自己所有の営業情報を出張先で復元し、社に戻った時に、出張先で入力した営業情報を社内で復元することができる。
【０１１０】
システムにおいて、当該ラインに複数のネットワークサーバーが接続され、少なくとも一つのネットワークサーバーが送り手側の端末装置と受取り手側の端末装置に共用のもので、２つ以上のネットワークサーバーが受取り手側の端末装置に専用のものとされる。
【０１１１】
各電子情報漏洩対策装置が環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄を含み、保存場所設定欄が割符保存場所入力欄を含む。
【０１１２】
そして割符割数入力欄に３〜１０までの割数を、割符形式欄に割符形式欄に割符数の数が３個以上１０までのとき、割符数をＮ数としたときに割符データＮ−１、あるいはＮ−２で復元可能な形態を、そして割符保存場所入力欄に任意の割符保存場所を入力させて、割符数の数が３個以上１０までのとき、割符数をＮ数としたときに割符データＮ−１、あるいはＮ−２で復元可能な形態を、そして割符保存場所入力欄に任意の割符保存場所を入力させて、電子情報ファイルを複数の電子割符データに形成させる、端末装置で実行させるためのコンピュータプログラムを記録したコンピュータ読み取り可能な電子割符ソフトウエアを備える。
【０１１３】
送り手側の端末装置で生成され、保存された電子割符データが受取り側の端末装置で復元可能とされる。
【符号の説明】
【０１１４】
１…ユーザー、１１…電子記録媒体（電子割符ソフトウエア）、１２…送り手側端末装置１のエクスポート手段、１３…受取手側端末装置２のインポート手段、４５…環境設定画面、５０…個人ドメイン、５１…管理者ドメイン、５２…個人端末、５３…管理端末、５６…ネットワークサーバー、５７…バックアップＮ０１、５８…バックアップＮ０２、１００…電子情報漏洩対策装置、２００…電子情報漏洩対策支援装置、３００…電子情報漏洩対策装置の適用システム、５００…ネット。
【図１】
2018190211.tif 000003
【図２】
2018190211.tif 000004
【図３】
2018190211.tif 000005
【図４】
2018190211.tif 000006
【図５】
2018190211.tif 000007
【図６】
2018190211.tif 000008
【図７】
2018190211.tif 000009
【図８】
2018190211.tif 000010
【図９（１）】
2018190211.tif 000011
【図９（２）】
2018190211.tif 000012
【図９（３）】
2018190211.tif 000013
【図１０】
2018190211.tif 000014
【図１１】
2018190211.tif 000015
【図１２】
2018190211.tif 000016
【図１３】
2018190211.tif 000017
【図１４】
2018190211.tif 000018
【図１５】
2018190211.tif 000019
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
電子情報ファイルを複数の電子割符データに分割して、割符保存場所に保存し、分割され保存さえた電子割符データを元の電子情報ファイルに復元する電子情報漏洩対策装置において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させる、端末装置で実行させるためのコンピュータプログラムを記録したコンピュータ読み取り可能な電子割符ソフトウエアを備え、
割符数をＮとしたときに、Ｎが２〜１０以内とされ、電子割符データが、割符割数入力欄に入力される割符数Ｎ内の数の選択と割符形式欄に入力される復元に要する割符数Ｎ、Ｎ−１及びＮ−２のいずれかの選択との組み合わせで設定され、
割符割数入力欄で、Ｎが２〜１０以内のいずれかが選択され、割符数Ｎが３〜４のときに、割符形式欄で、復元に要する割符数Ｎ及びＮ−１のいずれかの数が選択され、及び割符数Ｎが５〜１０のときに、Ｎ、Ｎ−１及びＮ−２のいずれか選択され、電子情報ファイルが復元可能にされたこと
を特徴とする電子情報漏洩対策装置。
【請求項２】
電子情報ファイルを複数の電子割符データに分割して、割符保存場所に保存し、分割され保存さえた電子割符データを元の電子情報ファイルに復元する電子情報漏洩対策装置を支援する電子情報漏洩対策支援装置において、
電子情報漏洩対策装置に、電子情報漏洩対策装置にインストールされ、電子情報漏洩対策装置で実行させるためのコンピュータプログラムを記録したコンピュータ読み取り可能な電子割符ソフトウエアを提供し、
環境設定画面を設定させ、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させ、
割符数をＮとしたときに、Ｎが２〜１０以内とされ、電子割符データを、割符割数入力欄に入力される割符数Ｎ内の数の選択と割符形式欄に入力される復元に要する割符数Ｎ、Ｎ−１及びＮ−２のいずれかの選択との組み合わせで設定させ、
割符割数入力欄で、Ｎを２〜１０以内のいずれかで選択させ、割符数Ｎが３〜４のときに、割符形式欄で、復元に要する割符数Ｎ及びＮ−１のいずれかを選択させ、及び割符数Ｎが５〜１０のときに、Ｎ、Ｎ−１及びＮ−２のいずれかを選択させ、電子情報ファイルを復元可能にさせたこと
を特徴とする電子情報漏洩対策支援装置。
【請求項３】
電子情報ファイルを複数の電子割符データに分割して、割符保存場所に保存し、分割され保存さえた電子割符データを元の電子情報ファイルに復元する電子情報漏洩対策装置で用いられる電子割符ソフトウエア有する電子記録媒体であって、
電子情報漏洩対策装置に、
環境設定画面を設定させ、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させ、
割符数をＮとしたときに、Ｎが２〜１０以内とされ、電子割符データを、割符割数入力欄に入力される割符数Ｎ内の数の選択と割符形式欄に入力される復元に要する割符数Ｎ、Ｎ−１及びＮ−２のいずれかの選択との組み合わせで設定させ、
割符割数入力欄で、Ｎが２〜１０以内のいずれかを選択され、割符数Ｎが３〜４のときに、割符形式欄で、復元に要する割符数Ｎ及びＮ−１のいずれかを選択させ、及び割符数Ｎが５〜１０のときに、Ｎ、Ｎ−１及びＮ−２のいずれかを選択させ、電子情報ファイルを復元可能にさせ、
電子情報ファイルを複数の電子割符データに形成させる、電子情報漏洩対策装置にインストールされ、電子情報漏洩対策装置で実行させるためのコンピュータプログラムを記録したコンピュータ読み取り可能な電子割符ソフトウエアを有すること
を特徴とする電子記録媒体。
【請求項４】
電子情報ファイルを複数の電子割符データに分割して、割符保存場所に保存し、分割され保存さえた電子割符データを元の電子情報ファイルに復元する電子情報漏洩対策装置における電子情報漏洩対策方法において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させる、端末装置で実行させるためのコンピュータプログラムを記録したコンピュータ読み取り可能な電子割符ソフトウエアを備え、
前記画面表示手段の表示画面に表示された前記環境設定画面に、割符割数、復元に必要な割符ファイルの数の形態、割符様式欄に割符ファイルのサイズ形態及び割符保存場所を入力し、
割符数をＮとしたときに、Ｎが２〜１０以内とされ、電子割符データが、割符割数入力欄に入力される割符数Ｎ内の数の選択と割符形式欄に入力される復元に要する割符数Ｎ、Ｎ−１及びＮ−２のいずれかの選択との組み合わせで設定され、
割符割数入力欄で、Ｎが２〜１０以内のいずれかが選択され、割符数Ｎが３〜４のときに、割符形式欄で、復元に要する割符数Ｎ及びＮ−１のいずれかが選択され、及び割符数Ｎが５〜１０のときに、Ｎ、Ｎ−１及びＮ−２のいずれかが選択され、電子情報ファイルが復元可能にされたことで、
電子情報ファイルを複数の電子割符データに形成させること
を特徴とする電子情報漏洩対策装置における電子情報漏洩対策方法。
【請求項５】
電子情報ファイルを複数の電子割符データに分割して、割符保存場所に保存し、分割され保存さえた電子割符データを元の電子情報ファイルに復元する電子情報漏洩対策装置において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄を含み、保存場所設定欄が割符保存場所入力欄を含み、
割符数をＮとしたときに、Ｎが２〜１０以内とされ、電子割符データが、割符割数入力欄に入力される割符数Ｎ内の数の選択と割符形式欄に入力される復元に要する割符数Ｎ、Ｎ−１及びＮ−２のいずれかの選択との組み合わせで設定され、
割符割数入力欄で、Ｎが２〜１０以内のいずれかが選択され、割符数Ｎが３〜４のときに、割符形式欄で、復元に要する割符数Ｎ及びＮ−１のいずれかが選択され、及び割符数Ｎが５〜１０のときに、Ｎ、Ｎ−１及びＮ−２のいずれかが選択され、電子情報ファイルが復元可能にされたことで、
電子情報ファイルを複数の電子割符データに形成させる、端末装置で実行させるためのコンピュータプログラムを記録したコンピュータ読み取り可能な電子割符ソフトウエアを備えたこと
を特徴とする電子情報漏洩対策装置。
【請求項６】
電子情報ファイルを複数の電子割符データに分割して、割符保存場所に保存し、分割され保存さえた電子割符データを元の電子情報ファイルに復元する電子情報漏洩対策装置がラインで結ばれた電子情報漏洩対策装置が適用されたシステムにおいて、
当該ラインに複数のネットワークサーバーが接続され、少なくとも一つのネットワークサーバーが送り手側の端末装置と受取り手側の端末装置に共用のもので、２つ以上のネットワークサーバーが受取り手側の端末装置に専用のもので、
各電子情報漏洩対策装置が環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄を含み、保存場所設定欄が割符保存場所入力欄を含み、
割符保存場所入力欄に任意の割符保存場所を入力させ、
割符数をＮとしたときに、Ｎが２〜１０以内とされ、電子割符データが、割符割数入力欄に入力される割符数Ｎ内の数の選択と割符形式欄に入力される復元に要する割符数Ｎ、Ｎ−１及びＮ−２のいずれかの選択との組み合わせで設定され、
割符割数入力欄で、Ｎが２〜１０以内のいずれかが選択され、割符数Ｎが３〜４のときに、割符形式欄で、復元に要する割符数Ｎ及びＮ−１のいずれかが選択され、及び割符数Ｎが５〜１０のときに、Ｎ、Ｎ−１及びＮ−２のいずれかが選択され、電子情報ファイルが復元可能にされたことで、
電子情報ファイルを複数の電子割符データに形成させる、端末装置で実行させるためのコンピュータプログラムを記録したコンピュータ読み取り可能な電子割符ソフトウエアを備え、
送り手側の端末装置で生成され、保存された電子割符データが受取り側の端末装置で復元可能とされたこと
を特徴とする電子情報漏洩対策システム。
【手続補正２】
【補正対象書類名】明細書
【補正対象項目名】０００９
【補正方法】変更
【補正の内容】
【０００９】
本発明は、電子情報ファイルを複数の電子割符データに分割して、割符保存場所に保存し、分割され保存さえた電子割符データを元の電子情報ファイルに復元する電子情報漏洩対策装置において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させる、端末装置で実行させるためのコンピュータプログラムを記録したコンピュータ読み取り可能な電子割符ソフトウエア備え、
割符数をＮとしたときに、Ｎが２〜１０以内とされ、電子割符データが、割符割数入力欄に入力される割符数Ｎ内の数の選択と割符形式欄に入力される復元に要する割符数Ｎ、Ｎ−１及びＮ−２のいずれかの選択との組み合わせで設定され、
割符割数入力欄で、Ｎが２〜１０以内のいずれかが選択され、割符数Ｎが３〜４のときに、割符形式欄で、復元に要する割符数Ｎ及びＮ−１のいずれかの数が選択され、及び割符数Ｎが５〜１０のときに、Ｎ、Ｎ−１及びＮ−２のいずれか選択され、電子情報ファイルが復元可能にされたこと
を特徴とする電子情報漏洩対策装置を提供する。
【手続補正３】
【補正対象書類名】明細書
【補正対象項目名】００１０
【補正方法】変更
【補正の内容】
【００１０】
本発明は、電子情報ファイルを複数の電子割符データに分割して、割符保存場所に保存し、分割され保存さえた電子割符データを元の電子情報ファイルに復元する電子情報漏洩対策装置を支援する電子情報漏洩対策支援装置において、
電子情報漏洩対策装置に、電子情報漏洩対策装置にインストールされ、電子情報漏洩対策装置で実行させるためのコンピュータプログラムを記録したコンピュータ読み取り可能な電子割符ソフトウエアを提供し、
環境設定画面を設定させ、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させ、
割符数をＮとしたときに、Ｎが２〜１０以内とされ、電子割符データを、割符割数入力欄に入力される割符数Ｎ内の数の選択と割符形式欄に入力される復元に要する割符数Ｎ、Ｎ−１及びＮ−２のいずれかの選択との組み合わせで設定させ、
割符割数入力欄で、Ｎを２〜１０以内のいずれかで選択させ、割符数Ｎが３〜４のときに、割符形式欄で、復元に要する割符数Ｎ及びＮ−１のいずれかを選択させ、及び割符数Ｎが５〜１０のときに、Ｎ、Ｎ−１及びＮ−２のいずれかを選択させ、電子情報ファイルを復元可能にさせたこと
を特徴とする電子情報漏洩対策支援装置を提供する。
【手続補正４】
【補正対象書類名】明細書
【補正対象項目名】００１１
【補正方法】変更
【補正の内容】
【００１１】
本発明は、電子情報ファイルを複数の電子割符データに分割して、割符保存場所に保存し、分割され保存さえた電子割符データを元の電子情報ファイルに復元する電子情報漏洩対策装置で用いられる電子割符ソフトウエア有する電子媒体であって、
電子情報漏洩対策装置に、
環境設定画面を設定させ、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させ、
割符数をＮとしたときに、Ｎが２〜１０以内とされ、電子割符データを、割符割数入力欄に入力される割符数Ｎ内の数の選択と割符形式欄に入力される復元に要する割符数Ｎ、Ｎ−１及びＮ−２のいずれかの選択との組み合わせで設定させ、
割符割数入力欄で、Ｎが２〜１０以内のいずれかを選択され、割符数Ｎが３〜４のときに、割符形式欄で、復元に要する割符数Ｎ及びＮ−１のいずれかを選択させ、及び割符数Ｎが５〜１０のときに、Ｎ、Ｎ−１及びＮ−２のいずれかを選択させ、電子情報ファイルを復元可能にさせ、
電子情報ファイルを複数の電子割符データに形成させる、電子情報漏洩対策装置にインストールされ、電子情報漏洩対策装置で実行させるためのコンピュータプログラムを記録したコンピュータ読み取り可能な電子割符ソフトウエアを有すること
を特徴とする電子記録媒体を提供する。
【手続補正５】
【補正対象書類名】明細書
【補正対象項目名】００１２
【補正方法】変更
【補正の内容】
【００１２】
本発明は、電子情報ファイルを複数の電子割符データに分割して、割符保存場所に保存し、分割され保存さえた電子割符データを元の電子情報ファイルに復元する電子情報漏洩対策装置における電子情報漏洩対策方法において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力し、
割符数をＮとしたときに、Ｎが２〜１０以内とされ、電子割符データが、割符割数入力欄に入力される割符数Ｎ内の数の選択と割符形式欄に入力される復元に要する割符数Ｎ、Ｎ−１及びＮ−２のいずれかの選択との組み合わせで設定され、
割符割数入力欄で、Ｎが２〜１０以内のいずれかが選択され、割符数Ｎが３〜４のときに、割符形式欄で、復元に要する割符数Ｎ及びＮ−１のいずれかが選択され、及び割符数Ｎが５〜１０のときに、Ｎ、Ｎ−１及びＮ−２のいずれかが選択され、電子情報ファイルが復元可能にされたことで、
電子情報ファイルを複数の電子割符データに形成させること
を特徴とする電子情報漏洩対策装置における電子情報漏洩対策方法を提供する。
【手続補正６】
【補正対象書類名】明細書
【補正対象項目名】００１３
【補正方法】変更
【補正の内容】
【００１３】
本発明は、電子情報ファイルを複数の電子割符データに分割して、割符保存場所に保存し、分割され保存さえた電子割符データを元の電子情報ファイルに復元する電子情報漏洩対策装置において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄を含み、保存場所設定欄が割符保存場所入力欄を含み、
割符数をＮとしたときに、Ｎが２〜１０以内とされ、電子割符データが、割符割数入力欄に入力される割符数Ｎ内の数の選択と割符形式欄に入力される復元に要する割符数Ｎ、Ｎ−１及びＮ−２のいずれかの選択との組み合わせで設定され、
割符割数入力欄で、Ｎが２〜１０以内のいずれかが選択され、割符数Ｎが３〜４のときに、割符形式欄で、復元に要する割符数Ｎ及びＮ−１のいずれかが選択され、及び割符数Ｎが５〜１０のときに、Ｎ、Ｎ−１及びＮ−２のいずれかが選択され、電子情報ファイルが復元可能にされたことで、
電子情報ファイルを複数の電子割符データに形成させる、端末装置で実行させるためのコンピュータプログラムを記録したコンピュータ読み取り可能な電子割符ソフトウエアを備えたこと
を特徴とする電子情報漏洩対策装置を提供する。
【手続補正７】
【補正対象書類名】明細書
【補正対象項目名】００１４
【補正方法】変更
【補正の内容】
【００１４】
本発明は、電子情報ファイルを複数の電子割符データに分割して、割符保存場所に保存し、分割され保存さえた電子割符データを元の電子情報ファイルに復元する電子情報漏洩対策装置がラインで結ばれた電子情報漏洩対策装置を適用したシステムにおいて、
当該ラインに複数のネットワークサーバーが接続され、少なくとも一つのネットワークサーバーが送り手側の端末装置と受取り手側の端末装置に共用のもので、２つ以上のネットワークサーバーが受取り手側の端末装置に専用のもので、
各電子情報漏洩対策装置が環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄を含み、保存場所設定欄が割符保存場所入力欄を含み、
割符保存場所入力欄に任意の割符保存場所を入力させ、
割符数をＮとしたときに、Ｎが２〜１０以内とされ、電子割符データが、割符割数入力欄に入力される割符数Ｎ内の数の選択と割符形式欄に入力される復元に要する割符数Ｎ、Ｎ−１及びＮ−２のいずれかの選択との組み合わせで設定され、
割符割数入力欄で、Ｎが２〜１０以内のいずれかが選択され、割符数Ｎが３〜４のときに、割符形式欄で、復元に要する割符数Ｎ及びＮ−１のいずれかが選択され、及び割符数Ｎが５〜１０のときに、Ｎ、Ｎ−１及びＮ−２のいずれかが選択され、電子情報ファイルが復元可能にされたことで、
電子情報ファイルを複数の電子割符データに形成させる、端末装置で実行させるためのコンピュータプログラムを記録したコンピュータ読み取り可能な電子割符ソフトウエアを備え、
送り手側の端末装置で生成され、保存された電子割符データが受取り側の端末装置で復元可能とされたこと
を特徴とする電子情報漏洩対策装置を適用したシステムを提供する。
【手続補正８】
【補正対象書類名】明細書
【補正対象項目名】００７１
【補正方法】変更
【補正の内容】
【００７１】
図９は、割数２〜１０と割符形式Ｎ〜Ｎ−２との関係を示す図である。図９（１）（イ）が割数２の場合（図８に該当）、図９（１）（ロ）が割数３の場合、図９（１）（ハ）が割数４の場合、図９（１）（ニ）が割数５の場合、図９（２）（ホ）が割数６の場合、図９（２）（ヘ）が割数７の場合、図９（２）（ト）が割数８の場合、図９（２）（チ）が割数９の場合、そして図９（３）（リ）が割数１０の場合に、割数と割符形式との組み合わせの例を示し、割符数Ｎが２〜１０以内とされ、電子割符データが、割符数Ｎ内の数の選択と復元に要する割符数Ｎ、Ｎ−１及びＮ−２のいずれかの選択との組み合わせで設定される関係が示される。
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
電子情報ファイルを複数の電子割符データに分割して、割符保存場所に保存し、分割され保存さえた電子割符データを元の電子情報ファイルに復元する電子情報漏洩対策装置において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させ、環境設定画面上に割符割数と復元に要する割符ファイルの数との関係を表示させ、端末装置で実行させるためのコンピュータプログラムを記録したコンピュータ読み取り可能な電子割符ソフトウエアを備え、
当該環境設定画面上において割符割数と復元に要する割符ファイルの数との関係が表示され、
割符数をＮとしたときに、Ｎが２〜１０以内とされ、電子割符データが、割符割数入力欄に入力される割符数Ｎ内の数の選択と割符形式欄に入力される復元に要する割符数Ｎ、Ｎ−１及びＮ−２のいずれかの選択との組み合わせで設定され、
割符割数入力欄で、Ｎが２〜１０以内のいずれかを選択させ、割符数Ｎが３〜４で選択されたときに、割符形式欄で、復元に要する割符数Ｎ及びＮ−１のいずれかの数を選択させ、及び割符数Ｎが５〜１０で選択されたときに、Ｎ、Ｎ−１及びＮ−２のいずれかを選択させ、電子情報ファイルが復元可能にされたこと
を特徴とする電子情報漏洩対策装置。
【請求項２】
電子情報ファイルを複数の電子割符データに分割して、割符保存場所に保存し、分割され保存さえた電子割符データを元の電子情報ファイルに復元する電子情報漏洩対策装置を支援する電子情報漏洩対策支援装置において、
電子情報漏洩対策装置に、電子情報漏洩対策装置にインストールされ、環境設定画面上に割符割数と復元に要する割符ファイルの数との関係を表示させ、電子情報漏洩対策装置で実行させるためのコンピュータプログラムを記録したコンピュータ読み取り可能な電子割符ソフトウエアを提供し、
当該電子割符ソフトウエアが、電子情報漏洩対策装置に環境設定画面を設定させ、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させ、
割符数をＮとしたときに、Ｎが２〜１０以内とされ、電子割符データを、割符割数入力欄に入力される割符数Ｎ内の数の選択と割符形式欄に入力される復元に要する割符数Ｎ、Ｎ−１及びＮ−２のいずれかの選択との組み合わせで設定させ、
当該環境設定画面上において割符割数と復元に要する割符ファイルの数との関係を表示させ、
割符割数入力欄で、Ｎを２〜１０以内のいずれかで選択させ、割符数Ｎが３〜４で選択されたときに、割符形式欄で、復元に要する割符数Ｎ及びＮ−１のいずれかを選択させ、及び割符数Ｎが５〜１０で選択されたときに、Ｎ、Ｎ−１及びＮ−２のいずれかを選択させ、
電子情報漏洩対策装置に、電子割符データを元の電子情報ファイルに復元させること
を特徴とする電子情報漏洩対策支援装置。
【請求項３】
電子情報ファイルを複数の電子割符データに分割させて、割符保存場所に保存させ、環境設定画面上に割符割数と復元に要する割符ファイルの数との関係を表示させ、分割され保存された電子割符データを元の電子情報ファイルに復元させる、電子情報漏洩対策装置で用いられる電子割符ソフトウエア有する電子記録媒体であって、
電子情報漏洩対策装置に、
環境設定画面を設定させ、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させ、
当該環境設定画面上において割符割数と復元に要する割符ファイルの数との関係を表示させ、
割符数をＮとしたときに、Ｎが２〜１０以内とされ、電子割符データを、割符割数入力欄に入力される割符数Ｎ内の数の選択と割符形式欄に入力される復元に要する割符数Ｎ、Ｎ−１及びＮ−２のいずれかの選択との組み合わせで設定させ、
割符割数入力欄で、Ｎが２〜１０以内のいずれかを選択させ、割符数Ｎが３〜４で選択されたときに、割符形式欄で、復元に要する割符数Ｎ及びＮ−１のいずれかを選択させ、及び割符数Ｎが５〜１０で選択されたときに、Ｎ、Ｎ−１及びＮ−２のいずれかを選択させ、電子情報ファイルを復元可能にさせ、
電子情報ファイルを複数の電子割符データに形成させる、電子情報漏洩対策装置にインストールされ、電子情報漏洩対策装置で実行させるためのコンピュータプログラムを記録したコンピュータ読み取り可能な電子割符ソフトウエアを有すること
を特徴とする電子記録媒体。
【請求項４】
電子情報ファイルを複数の電子割符データに分割して、割符保存場所に保存し、分割され保存さえた電子割符データを元の電子情報ファイルに復元する電子情報漏洩対策装置における電子情報漏洩対策方法において、
画面表示手段が環境設定画面を表示し、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
端末装置で実行させるためのコンピュータプログラムを記録したコンピュータ読み取り可能な電子割符ソフトウエアによって、割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させ、環境設定画面上に割符割数と復元に要する割符ファイルの数との関係を表示し、
前記画面表示手段の表示画面に表示させた前記環境設定画面に、割符割数、復元に必要な割符ファイルの数の形態、割符様式欄に割符ファイルのサイズ形態及び割符保存場所を入力し、
当該環境設定画面上に割符割数と復元に要する割符ファイルの数との関係を表示し、
割符数をＮとしたときに、Ｎが２〜１０以内とされ、電子割符データが、割符割数入力欄に入力される割符数Ｎ内の数の選択と割符形式欄に入力される復元に要する割符数Ｎ、Ｎ−１及びＮ−２のいずれかの選択との組み合わせで設定され、割符割数入力欄で、Ｎが２〜１０以内のいずれかが選択され、割符数Ｎが３〜４で選択されたときに、割符形式欄で、復元に要する割符数Ｎ及びＮ−１のいずれかが選択され、及び割符数Ｎが５〜１０で選択されたときに、Ｎ、Ｎ−１及びＮ−２のいずれかが選択され、電子情報ファイルが復元可能にされたことで、電子情報ファイルを複数の電子割符データに形成すること
を特徴とする電子情報漏洩対策装置における電子情報漏洩対策方法。
【請求項５】
電子情報ファイルを複数の電子割符データに分割して、割符保存場所に保存し、分割され保存さえた電子割符データを元の電子情報ファイルに復元する電子情報漏洩対策装置において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄を含み、保存場所設定欄が割符保存場所入力欄を含み、
当該環境設定画面上に割符割数と復元に要する割符ファイルの数との関係を表示させ、
割符数をＮとしたときに、Ｎを２〜１０以内とし、電子割符データを、割符割数入力欄に入力される割符数Ｎ内の数の選択と割符形式欄に入力される復元に要する割符数Ｎ、Ｎ−１及びＮ−２のいずれかの選択との組み合わせで設定させ、
割符割数入力欄で、Ｎを２〜１０以内のいずれかで選択させ、割符数Ｎが３〜４で選択されたときに、割符形式欄で、復元に要する割符数Ｎ及びＮ−１のいずれかを選択させ、及び割符数Ｎが５〜１０で選択されたときに、Ｎ、Ｎ−１及びＮ−２のいずれかが選択させ、電子情報ファイルを復元可能にさせることで、
電子情報ファイルを複数の電子割符データに形成させる、端末装置で実行させるためのコンピュータプログラムを記録したコンピュータ読み取り可能な電子割符ソフトウエアを備えたこと
を特徴とする電子情報漏洩対策装置。
【請求項６】
電子情報ファイルを複数の電子割符データに分割して、割符保存場所に保存し、分割され保存さえた電子割符データを元の電子情報ファイルに復元する電子情報漏洩対策装置がラインで結ばれた電子情報漏洩対策装置が適用されたシステムにおいて、
当該ラインに複数の電子情報漏洩対策装置が接続され、少なくとも一つの電子情報漏洩対策装置が送り手側の電子情報漏洩対策装置と受取り手側の電子情報漏洩対策装置として共用のもので、２つ以上の電子情報漏洩対策装置が受取り手側の電子情報漏洩対策装置として専用のもので、
各電子情報漏洩対策装置が環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄を含み、保存場所設定欄が割符保存場所入力欄を含み、
当該環境設定画面上において割符割数と復元に要する割符ファイルの数との関係を表示させ、
割符保存場所入力欄に任意の割符保存場所を入力させ、
割符数をＮとしたときに、Ｎを２〜１０以内とし、電子割符データを、割符割数入力欄に入力される割符数Ｎ内の数の選択と割符形式欄に入力される復元に要する割符数Ｎ、Ｎ−１及びＮ−２のいずれかの選択との組み合わせで設定させ、
割符割数入力欄で、Ｎを２〜１０以内のいずれかで選択させ、割符数Ｎが３〜４で選択されたときに、割符形式欄で、復元に要する割符数Ｎ及びＮ−１のいずれかを選択させ、及び割符数Ｎが５〜１０で選択されたときに、Ｎ、Ｎ−１及びＮ−２のいずれかが選択させ、電子情報ファイルを復元可能にさせることで、
電子情報ファイルを複数の電子割符データに形成させる、端末装置で実行させるためのコンピュータプログラムを記録したコンピュータ読み取り可能な電子割符ソフトウエアを備え、
送り手側の端末装置で生成され、保存された電子割符データが受取り側の端末装置で復元可能とされたこと
を特徴とする電子情報漏洩対策システム。
【手続補正２】
【補正対象書類名】明細書
【補正対象項目名】０００９
【補正方法】変更
【補正の内容】
【０００９】
本発明は、電子情報ファイルを複数の電子割符データに分割して、割符保存場所に保存し、分割され保存さえた電子割符データを元の電子情報ファイルに復元する電子情報漏洩対策装置において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させ、環境設定画面上に割符割数と復元に要する割符ファイルの数との関係を表示させ、端末装置で実行させるためのコンピュータプログラムを記録したコンピュータ読み取り可能な電子割符ソフトウエアを備え、
当該環境設定画面上において割符割数と復元に要する割符ファイルの数との関係が表示され、
割符数をＮとしたときに、Ｎが２〜１０以内とされ、電子割符データが、割符割数入力欄に入力される割符数Ｎ内の数の選択と割符形式欄に入力される復元に要する割符数Ｎ、Ｎ−１及びＮ−２のいずれかの選択との組み合わせで設定され、
割符割数入力欄で、Ｎが２〜１０以内のいずれかを選択させ、割符数Ｎが３〜４で選択されたときに、割符形式欄で、復元に要する割符数Ｎ及びＮ−１のいずれかの数を選択させ、及び割符数Ｎが５〜１０で選択されたときに、Ｎ、Ｎ−１及びＮ−２のいずれかを選択させ、電子情報ファイルが復元可能にされたこと
を特徴とする電子情報漏洩対策装置を提供する。
【手続補正３】
【補正対象書類名】明細書
【補正対象項目名】００１０
【補正方法】変更
【補正の内容】
【００１０】
本発明は、電子情報ファイルを複数の電子割符データに分割して、割符保存場所に保存し、分割され保存さえた電子割符データを元の電子情報ファイルに復元する電子情報漏洩対策装置を支援する電子情報漏洩対策支援装置において、
電子情報漏洩対策装置に、電子情報漏洩対策装置にインストールされ、環境設定画面上に割符割数と復元に要する割符ファイルの数との関係を表示させ、電子情報漏洩対策装置で実行させるためのコンピュータプログラムを記録したコンピュータ読み取り可能な電子割符ソフトウエアを提供し、
当該電子割符ソフトウエアが、電子情報漏洩対策装置に環境設定画面を設定させ、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させ、
割符数をＮとしたときに、Ｎが２〜１０以内とされ、電子割符データを、割符割数入力欄に入力される割符数Ｎ内の数の選択と割符形式欄に入力される復元に要する割符数Ｎ、Ｎ−１及びＮ−２のいずれかの選択との組み合わせで設定させ、
当該環境設定画面上において割符割数と復元に要する割符ファイルの数との関係を表示させ、
割符割数入力欄で、Ｎを２〜１０以内のいずれかで選択させ、割符数Ｎが３〜４で選択されたときに、割符形式欄で、復元に要する割符数Ｎ及びＮ−１のいずれかを選択させ、及び割符数Ｎが５〜１０で選択されたときに、Ｎ、Ｎ−１及びＮ−２のいずれかを選択させ、
電子情報漏洩対策装置に、電子割符データを元の電子情報ファイルに復元させること
を特徴とする電子情報漏洩対策支援装置を提供する。
【手続補正４】
【補正対象書類名】明細書
【補正対象項目名】００１１
【補正方法】変更
【補正の内容】
【００１１】
本発明は、電子情報ファイルを複数の電子割符データに分割させて、割符保存場所に保存させ、環境設定画面上に割符割数と復元に要する割符ファイルの数との関係を表示させ、分割され保存された電子割符データを元の電子情報ファイルに復元させる、電子情報漏洩対策装置で用いられる電子割符ソフトウエア有する電子記録媒体であって、
電子情報漏洩対策装置に、
環境設定画面を設定させ、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
割符割数入力欄に割符数を、割符形式欄に復元に必要な割符ファイルの数の形態を、割符様式欄に割符ファイルのサイズ形態を、そして割符保存場所入力欄に割符保存場所を入力させ、
当該環境設定画面上において割符割数と復元に要する割符ファイルの数との関係を表示させ、
割符数をＮとしたときに、Ｎが２〜１０以内とされ、電子割符データを、割符割数入力欄に入力される割符数Ｎ内の数の選択と割符形式欄に入力される復元に要する割符数Ｎ、Ｎ−１及びＮ−２のいずれかの選択との組み合わせで設定させ、
割符割数入力欄で、Ｎが２〜１０以内のいずれかを選択させ、割符数Ｎが３〜４で選択されたときに、割符形式欄で、復元に要する割符数Ｎ及びＮ−１のいずれかを選択させ、及び割符数Ｎが５〜１０で選択されたときに、Ｎ、Ｎ−１及びＮ−２のいずれかを選択させ、電子情報ファイルを復元可能にさせ、
電子情報ファイルを複数の電子割符データに形成させる、電子情報漏洩対策装置にインストールされ、電子情報漏洩対策装置で実行させるためのコンピュータプログラムを記録したコンピュータ読み取り可能な電子割符ソフトウエアを有すること
を特徴とする電子記録媒体を提供する。
【手続補正５】
【補正対象書類名】明細書
【補正対象項目名】００１２
【補正方法】変更
【補正の内容】
【００１２】
本発明は、電子情報ファイルを複数の電子割符データに分割して、割符保存場所に保存し、分割され保存さえた電子割符データを元の電子情報ファイルに復元する電子情報漏洩対策装置における電子情報漏洩対策方法において、
画面表示手段が環境設定画面を表示し、当該環境設定画面が、割符条件設定欄及び保存場所設定欄を有し、割符条件設定欄が割符割数入力欄、復元に必要な割符ファイルの数の形態を示す割符形式欄、割符ファイルのサイズ形態を示す割符様式欄及びパスワード入力欄を含み、保存場所設定欄が割符保存場所入力欄を含み、
端末装置で実行させるためのコンピュータプログラムを記録したコンピュータ読み取り可能な電子割符ソフトウエアによって、割符割数入力欄に割符数を、割符形式欄に復元に必要な割符ファイルの数の形態を、割符様式欄に割符ファイルのサイズ形態を、そして割符保存場所入力欄に割符保存場所を入力させて、電子情報ファイルを複数の電子割符データに形成させ、環境設定画面上に割符割数と復元に要する割符ファイルの数との関係を表示し、
前記画面表示手段の表示画面に表示させた前記環境設定画面に、割符割数、復元に必要な割符ファイルの数の形態、割符様式欄に割符ファイルのサイズ形態及び割符保存場所を入力し、
当該環境設定画面上に割符割数と復元に要する割符ファイルの数との関係を表示し、
割符数をＮとしたときに、Ｎが２〜１０以内とされ、電子割符データが、割符割数入力欄に入力される割符数Ｎ内の数の選択と割符形式欄に入力される復元に要する割符数Ｎ、Ｎ−１及びＮ−２のいずれかの選択との組み合わせで設定され、割符割数入力欄で、Ｎが２〜１０以内のいずれかが選択され、割符数Ｎが３〜４で選択されたときに、割符形式欄で、復元に要する割符数Ｎ及びＮ−１のいずれかが選択され、及び割符数Ｎが５〜１０で選択されたときに、Ｎ、Ｎ−１及びＮ−２のいずれかが選択され、電子情報ファイルが復元可能にされたことで、電子情報ファイルを複数の電子割符データに形成すること
を特徴とする電子情報漏洩対策装置における電子情報漏洩対策方法を提供する。
【手続補正６】
【補正対象書類名】明細書
【補正対象項目名】００１３
【補正方法】変更
【補正の内容】
【００１３】
本発明は、電子情報ファイルを複数の電子割符データに分割して、割符保存場所に保存し、分割され保存さえた電子割符データを元の電子情報ファイルに復元する電子情報漏洩対策装置において、
環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄を含み、保存場所設定欄が割符保存場所入力欄を含み、
当該環境設定画面上に割符割数と復元に要する割符ファイルの数との関係を表示させ、
割符数をＮとしたときに、Ｎを２〜１０以内とし、電子割符データを、割符割数入力欄に入力される割符数Ｎ内の数の選択と割符形式欄に入力される復元に要する割符数Ｎ、Ｎ−１及びＮ−２のいずれかの選択との組み合わせで設定させ、
割符割数入力欄で、Ｎを２〜１０以内のいずれかで選択させ、割符数Ｎが３〜４で選択されたときに、割符形式欄で、復元に要する割符数Ｎ及びＮ−１のいずれかを選択させ、及び割符数Ｎが５〜１０で選択されたときに、Ｎ、Ｎ−１及びＮ−２のいずれかが選択させ、電子情報ファイルを復元可能にさせることで、
電子情報ファイルを複数の電子割符データに形成させる、端末装置で実行させるためのコンピュータプログラムを記録したコンピュータ読み取り可能な電子割符ソフトウエアを備えたこと
を特徴とする電子情報漏洩対策装置を提供する。
【手続補正７】
【補正対象書類名】明細書
【補正対象項目名】００１４
【補正方法】変更
【補正の内容】
【００１４】
本発明は、電子情報ファイルを複数の電子割符データに分割して、割符保存場所に保存し、分割され保存さえた電子割符データを元の電子情報ファイルに復元する電子情報漏洩対策装置がラインで結ばれた電子情報漏洩対策装置が適用されたシステムにおいて、
当該ラインに複数の電子情報漏洩対策装置が接続され、少なくとも一つの電子情報漏洩対策装置が送り手側の電子情報漏洩対策装置と受取り手側の電子情報漏洩対策装置として共用のもので、２つ以上の電子情報漏洩対策装置が受取り手側の電子情報漏洩対策装置として専用のもので、
各電子情報漏洩対策装置が環境設定画面を表示する画面表示手段を備え、当該環境設定画面が、割符条件設定欄及び保存場所設定欄を有し、割符条件設定欄が割符割数入力欄、復元に必要な割符ファイルの数の形態を示す割符形式欄を含み、保存場所設定欄が割符保存場所入力欄を含み、
当該環境設定画面上において割符割数と復元に要する割符ファイルの数との関係を表示させ、
割符保存場所入力欄に任意の割符保存場所を入力させ、
割符数をＮとしたときに、Ｎを２〜１０以内とし、電子割符データを、割符割数入力欄に入力される割符数Ｎ内の数の選択と割符形式欄に入力される復元に要する割符数Ｎ、Ｎ−１及びＮ−２のいずれかの選択との組み合わせで設定させ、
割符割数入力欄で、Ｎを２〜１０以内のいずれかで選択させ、割符数Ｎが３〜４で選択されたときに、割符形式欄で、復元に要する割符数Ｎ及びＮ−１のいずれかを選択させ、及び割符数Ｎが５〜１０で選択されたときに、Ｎ、Ｎ−１及びＮ−２のいずれかが選択させ、電子情報ファイルを復元可能にさせることで、
電子情報ファイルを複数の電子割符データに形成させる、端末装置で実行させるためのコンピュータプログラムを記録したコンピュータ読み取り可能な電子割符ソフトウエアを備え、
送り手側の端末装置で生成され、保存された電子割符データが受取り側の端末装置で復元可能とされたこと
を特徴とする電子情報漏洩対策システムを提供する。